(57)【要約】【課題】水栓柱に取り付けて、束子、洗剤、雑巾等の収容物をきれいに整理するための水栓柱用収納棚を提供する。【解決手段】本発明の水栓柱用収納棚３は、側壁１１、平板１２および縦溝１３を有する押さえ部１０、ネジ２５並びに回転部２７を有するカゴ取り付け部２０と、収納カゴ４とから構成される。まず、カゴ取り付け部２０の押さえ部１２で水栓柱１を挟みカゴ取り付け部２０を水栓柱１に取り付け固定した後に、収納カゴ４を押さえ部１０に取り付ける。このように収納カゴ４を押さえ部１０を用いて水栓柱１に固定することによって、束子、洗剤、雑巾等をきれいに整理できると共に紛失を防ぐことができる。【選択図】        図２
2004329513.tif 000002
【特許請求の範囲】
【請求項１】
側壁、平板および縦溝を有する押さえ部、ネジおよび回転部を有するカゴ取り付け部と、
収納カゴとから構成され、
前記カゴ取り付け部の押さえ部で水栓柱を挟みカゴ取り付け部を水栓柱に取り付けた後に、前記収納カゴを押さえ部に取り付けることを特徴とする水栓柱用収納棚。
【請求項２】
前記収納カゴは、直方体形状を有し、上縁枠と、下縁枠と、上縁枠の短辺中央内側を始点とし下縁枠短辺中央内側を通りさらに対向する下縁枠短辺の中央内側を通り対向する上縁枠短辺の中央内側で終端される中央枠と、および上縁枠長辺の一点を始点とし下縁枠長辺を通りさらに対向する下縁枠の長辺を通り対向する上縁枠長辺の一点で終端される内部枠とから構成されることを特徴とする請求項１記載の水栓柱用収納棚。
【請求項３】
前記押さえ部は、側壁と平板とから構成され、側壁の中央に縦溝を有することを特徴とする請求項１または２記載の水栓柱用収納棚。
【請求項４】
前記押さえ部の縦溝の幅は、前記収納カゴにおける中央枠が嵌合される寸法に形成されることを特徴とする請求項１または２記載の水栓柱用収納棚。
【請求項５】
前記押さえ部の平板の厚さは、前記収納カゴにおける上縁枠および下縁枠が嵌合される寸法に形成されることを特徴とする請求項１または２記載の水栓柱用収納棚。
【請求項６】
前記押さえ部の横幅は、前記収納カゴの上縁枠の短辺および下縁枠の短辺の幅より少し狭い寸法に形成されることを特徴とする請求項１または２記載の水栓柱用収納棚。
【請求項７】
前記押さえ部の側壁の高さと平板の高さの差は、前記収納カゴの上縁枠と下縁枠間の寸法より少し長い寸法に形成されることを特徴とする請求項１または２記載の水栓柱用収納棚。
【発明の詳細な説明】
【０００１】
【発明の属する技術分野】
本発明は水栓柱用収納棚に関するものであり、より詳細には、水栓柱に取り付けて束子、洗剤、雑巾等を入れるための水栓柱用収納棚に関するものである。
【０００２】
【従来の技術】
図８は束子、洗剤、雑巾等が置かれる従来の水栓柱周辺を示す斜視図である。図８において、水栓柱１は、流し８の周囲を囲む流し縁９の一部に設けられている。従来は、束子５、洗剤６、雑巾７等は、流し８の中または流し縁９に直接束子５、洗剤６、雑巾７等を置いたり、または流し縁９の一部に図示しない収納カゴを置いてその中に束子５、洗剤６、雑巾７等を入れていた。
【０００３】
【発明が解決しようとする課題】
しかしながら、流し８の中または流し縁９に直接束子、洗剤、雑巾等を置いた場合には、束子、洗剤、雑巾等に泥が付着して汚くなり、また束子、洗剤、雑巾等が紛失したりして、使用したいときに見つからない等の問題があった。
【０００４】
本発明の目的は、水栓柱に取り付けて、束子、洗剤、雑巾等をきれいに整理しまた紛失を防ぐための水栓柱用収納棚を提供するものである。
【０００５】
【課題を解決するための手段】
上記の目的を達成するため、本発明の水栓柱用収納棚は、側壁、平板および縦溝を有する押さえ部、ネジ並びに回転部を有するカゴ取り付け部と、収納カゴとから構成される。まず、カゴ取り付け部の押さえ部で水栓柱を挟みカゴ取り付け部を水栓柱に取り付けた後に、収納カゴを押さえ部に取り付ける。上記の構成により、束子、洗剤、雑巾等をきれいに整理し、また紛失を防ぐことができる。また、水栓柱用収納棚を設けることによって庭が広く使え、さらに、束子、洗剤、雑巾等が目の前にあるので物を洗う作業が楽になる。
【０００６】
また、本発明の水栓柱用収納棚の収納カゴは、直方体形状を有し、上縁枠と、下縁枠と、上縁枠の短辺中央内側を始点とし下縁枠短辺中央内側を通りさらに対向する下縁枠短辺の中央内側を通り対向する上縁枠短辺の中央内側で終端される中央枠と、および上縁枠長辺の一点を始点とし下縁枠長辺を通りさらに対向する下縁枠の長辺を通り対向する上縁枠長辺の一点で終端される内部枠とから構成される。上記のように、上縁枠、下縁枠および中央枠を有する構成によって、収納カゴを押さえ部を介して水栓柱に堅固に固定することができる。
【０００７】
また、本発明の水栓柱用収納棚のカゴ取り付け部の押さえ部は、側壁と平板から構成され、側壁の中央に縦溝を有するように構成され、押さえ部の縦溝の幅は、前記収納カゴにおける中央枠が嵌合される寸法に形成され、押さえ部の平板の厚さは、前記収納カゴにおける上縁枠および下縁枠が嵌合される寸法に形成され、押さえ部の横幅は、前記収納カゴの上縁枠および下縁枠の短辺の幅より少し狭い寸法に形成され、押さえ部の側壁の高さと平板の高さの差は、前記収納カゴの上縁枠と下縁枠間の寸法より少し長い寸法に形成されることを特徴とする。上記のような構成によって、収納カゴを押さえ部１０を介して水栓柱に堅固に固定することができる。
【０００８】
【発明の実施の形態】
図１は本発明の一実施の形態の水栓柱用収納棚３を水栓柱１に取り付けた状態を示す図である。図１において、図８と同一の番号は同一の部分または部品を表わし、その説明を省略する。水栓柱用収納棚３は、カゴ取り付け部２０と収納カゴ４とから構成される。水栓柱用収納棚３の取り付けは、カゴ取り付け部２０を水栓柱１に取り付けた後に、収納カゴ４をカゴ取り付け部２０に取り付けることによってなされる。収納カゴ４には、束子５、洗剤６、雑巾７等が収納される。
【０００９】
次に、水栓柱用収納棚３を水栓柱１に取り付ける方法について詳細に説明する。図２は、水栓柱用収納棚３全体を示す図である。水栓柱用収納棚３は、カゴ取り付け部２０と収納カゴとから構成される。収納カゴ４は格子状に構成される。格子状に形成することによって、雨水が抜け、収納カゴ４の内部の風通しをよくし、束子、洗剤、雑巾等が腐食することを防止することができる。カゴ取り付け部２０は、側壁１１、平板１２および縦溝１３を有する押さえ部１０、並びにネジ２５、円柱部２６および回転部２７から構成される。円柱部２６は必ずしも必要でない。ネジ２５、円柱部２６および回転部２７は蝶ネジで置き換えることもできる。回転部２７を回転することによってネジ２５が一方の平板１２を前進させ、２つの平板１２間で水栓柱１を挟みカゴ取り付け部２０を水栓柱１に固定する。
【００１０】
図３は収納カゴ４の構造の詳細を示す図である。図３において、収納カゴ４は、直方体形状を有し、上縁枠３１と下縁枠３２を有し、上縁枠３１と下縁枠３２の間は、４つの隅枠３３、１つの中央枠３４および複数の内部枠３５で連結されている。上縁枠３１、下縁枠３２、隅枠３３、中央枠３４、内部枠３５は、鉄、ステンレス、アルミ等の金属を用いることができる。
【００１１】
前記収納カゴにおいて、上縁枠３１および下縁枠３２はそれぞれ長辺と短辺を有する。押さえ部１０に取り付けられる部分は上縁枠３１および下縁枠３２の各短辺および中央枠３４の一部である。中央枠３４は、上縁枠の短辺中央内側を始点とし下縁枠短辺の中央内側を通りさらに対向する下縁枠短辺の中央内側を通り対向する上縁枠短辺の中央内側で終端される。内部枠３５は、上縁枠長辺の一点（内側、外側と問わない）を始点とし下縁枠長辺を通りさらに対向する下縁枠の長辺を通り対向する上縁枠長辺の一点で終端される。隅枠３３は、上縁枠３１と下縁枠３２の各隅４箇所を直接に溶接等で連結する。
【００１２】
図４は、押さえ部１０の詳細構造を示す図である。押さえ部１０は側壁１１、平板１２および縦溝１３から構成される。押さえ部１０は平板１２の面が水栓柱１に接するような向きで用いられる。すなわち、２つの押さえ部１０の各平板１２の面が水栓柱１に接するように配置される。このときに、各平板１２の面と水栓柱１との面の間にゴム材料等のシートを敷くことによって、２つの押さえ部１０をより強固に水栓柱１に取り付けることができる。
【００１３】
押さえ部１０の平板１２の厚さＢは、収納カゴ４における上縁枠３１および下縁枠３２の上縁枠短辺部および下縁枠短辺部の直径Ｂと同じ寸法に形成される。押さえ部１０の側壁１１の縦溝１３の幅Ａは、収納カゴ４における中央枠３４の直径Ａと同じ寸法またはそれより少し大きめに形成される。押さえ部１０の側壁１１の高さと平板１２の高さの差Ｄは、収納カゴ４の上縁枠３１と下縁枠３２間の高さより少し長い寸法に形成される。押さえ部１０と収納カゴ４との寸法関係を上記のように選択することによって、収納カゴ４は、押さえ部１０に密着し外れないようになる。
【００１４】
図５は、カゴ取り付け部２０の詳細構造を示す図であり、図２のカゴ取り付け部２０をＸ−Ｘ線で切断したときの断面図を示している。図５においては、側壁１１と平板１２から構成される押さえ部１０の一方は枠２３に固定され、他の押さえ部１０は矢印で示すようにネジ２５によって可動するように構成される。図５においては、側壁１１、下部平板１２および２３の厚さが強調されており、後に現れる図６の各部の寸法とは１対１に対応しない。可動側の押さえ部１０の側壁１１には係止部２４が設けられ、この係止部２４はネジ２５と可動に形成され、またはネジ２５の先を拡大する等してネジ２５と固定に形成され、側壁１１からネジ２５が抜けないように構成される。回転部２７を回転させることによって、ネジ２５が前進し、係止部２４が可動側の平板１２を押してその平板１２が水栓柱１に近づく。さらに、回転部２７を回転すると、可動側の平板１２と固定側の平板１２との間で水栓柱１が挟まれ、カゴ取り付け部２０は水栓柱１に固定される。
【００１５】
図６は、カゴ取り付け部２０を水栓柱１取り付け、そのカゴ取り付け部２０に収納カゴ４を取り付けた状態を上方から見たときの図を示す。図６においては、２つの押さえ部１０の各平板１２間で水栓柱１が固定され、固定された側壁１１と水栓柱１の間に上縁枠３１が固定され、中央枠３４が縦溝１３に固定されている状態が示されている。
【００１６】
図７は、水栓柱用収納棚３を水栓柱１に２段に取り付けた状態を示す図である。水栓柱用収納棚３は必要に応じて、１段、２段、多段等にすることによって、収納カゴの収納容量を増やすことができる。
【００１７】
【発明の効果】
以上説明したように、本発明によれば、カゴ取り付け部を水栓柱に取り付け、そのカゴ取り付け部に収納カゴを強固に取り付けることができる。
水栓柱用収納棚を水栓柱に取り付けることによって、束子、洗剤、雑巾等をきれいに整理できると共に紛失を防ぎ、さらに、束子、洗剤、雑巾等の腐食を防止することができる。
また、水栓柱用収納棚を水栓柱に取り付けることによって庭が広く使え、さらに、束子、洗剤、雑巾等が目の前に有るのでものを洗う作業が楽になる効果がある。
【図面の簡単な説明】
【図１】本発明の一実施の形態の水栓柱用収納棚３を水栓柱１に取り付けた状態を示す図である。
【図２】水栓柱用収納棚３の全体を示す図である。
【図３】収納カゴ４の詳細構造を示す図である。
【図４】押さえ部１０の詳細構造を示す図である。
【図５】カゴ取り付け部２０の詳細構造を示す図である。
【図６】カゴ取り付け部２０を水栓柱１取り付け、そのカゴ取り付け部２０に収納カゴ４を取り付けた状態を上方から見たときの図を示す。
【図７】水栓柱用収納棚３を水栓柱１に２段に取り付けた状態を示す図である。
【図８】束子、洗剤、雑巾等が置かれた従来の水栓柱周辺を示す斜視図である。
【符号の説明】
１    水栓柱
２    水栓
３    水栓柱用収納棚
４    収納カゴ
１０    押さえ部
１１    側壁
１２    平板
１３    縦溝
２０    カゴ取り付け部
２３    枠
２４    係止部
２５    ネジ
２６    円柱部
２７    回転部
３１    上縁枠
３２    下縁枠
３３    隅枠
３４    中央枠
３５    内部枠
【図１】
2004329513.tif 000003
【図２】
2004329513.tif 000004
【図３】
2004329513.tif 000005
【図４】
2004329513.tif 000006
【図５】
2004329513.tif 000007
【図６】
2004329513.tif 000008
【図７】
2004329513.tif 000009
【図８】
2004329513.tif 000010